(57)【要約】      （修正有）【課題】老朽化した水路を、安全確実で、安価且つ短期に修復すること。【解決手段】複数のボルト挿通孔６を有し、耐摩耗性に優れた材料により、薄肉で比較的軽量に成型されたパネル１と、当該パネルを使用し、農業用水路の補修面Ａである内側面に、スペーサ９を介して所定の間隙を設けた状態で、レジンコンクリート等の耐摩耗性に優れた素材によるパネルを配置固定し、当該パネルと補修面との間にできた間隙に充填材を充填固化させる。【選択図】図３
2011094441.tif 000002
【特許請求の範囲】
【請求項１】
既設水路の内側側面及び底面等のコンクリートが劣化した要補修面に取り付けるためのボルトの直径に対して、クリアランスが１ｍｍ〜５０ｍｍであり、段部を形成したテーパー付きのボルト挿通孔を複数有し、耐摩耗性材料により厚み２０ｍｍ以上７０ｍｍ以下で、且つ重量５０ｋｇ以下で成型されたことを特徴とする既設水路補修用パネル。
【請求項２】
ボルト挿通孔がパネルに一体的に埋め込まれた多角形又は円形又は長円形の貫通孔を有するワッシャーによって形成された段部を有することを特徴とする請求項１記載の、既設水路補修用パネル
【請求項３】
耐摩耗性材料により成型パネルを既設水路の補修面に取り付けるためのボルトを貫通螺合するナットが複数個一体的に埋め込まれ、耐摩耗性材料により厚み２０ｍｍ以上７０ｍｍ以下で且つ重量５０ｋｇ以下で成型されたことを特徴とする、既設水路補修用パネル。
【請求項４】
断面がハンチ部を有した略Ｌ型であることを特徴とする、請求項１から３記載の既設水路補修用パネル。
【請求項５】
背面部に鉄筋又は線条材が突出していることを特徴とする請求項１から４記載の水路補修用パネル。
【請求項６】
耐摩耗性材料が、レジンコンクリート、高強度コンクリート、防錆処理を施した鉄筋を使用した鉄筋コンクリート又はステンレス等の錆に強い素材で補強した鉄筋コンクリートからなることを特徴とする、請求項１から５記載の既設水路補修用パネル。
【請求項７】
既設水路の所定位置にアンカーを穿設し、既設水路の内側面と補修用パネルとの間に、スペーサを介して幅５０ｍｍ以下の間隙を有した状態で、前記アンカーに補修用パネルをボルトにより固定し、前記間隙に充填材を充填固化させることを特徴とする、既設水路の補修方法。
【発明の詳細な説明】
【技術分野】
【０００１】
本発明は、既設水路の補修用パネル及び補修方法に関する。
【背景技術】
【０００２】
コンクリートによる水路は、長年の使用により、その内側側面や底面が侵食、劣化することにより凹凸が発生し、そこに堆積した土砂や浮遊物により水流に影響を与えたり、異臭の原因となることがある。この劣化を放置しておくと、劣化が進行することにより、漏水等が発生し、ひいては水路自体が破壊されてしまうという問題点を有していた。
【０００３】
このような問題を解消する為に、劣化した水路の内側側面や底面の要補修箇所にモルタル等を充填するなどして、劣化部分を個別に補修したり、薄肉成型されたレジンコンクリート等の樹脂系材料からなる板状のパネルを水路内側側面や底面全体に接着し、水路全体を一括して補修する方法がある。（特許文献１）
【０００４】
接着以外の方法としては、板状のパネルの裏面に凸部を設けることにより間隙を確保するスペーサとし、その間隙にモルタルを充填固化することで、水路全体を補修する方法がある。（特許文献２）
【０００５】
パネルの固定方法としては、パネル裏面の間隙を確保する為の凸部に穿孔口を有し、当該穿孔口から水路の補修面にアンカーを打ち込み、ネジによりパネルを直接固定したあと、パネル裏面の凸部により形成された間隙にモルタルを充填することによる補修方法が提案されている。（特許文献３）
【０００６】
さらに、パネルを固定する他の方法として、水路内面に定規コンクリートを配置し、これを介してパネルを配置し、ボルトナットにより固定する方法がある。（特許文献４）
【０００７】
【特許文献１】特許第３６４８４９３号
【特許文献２】特開２００７−１４６６０４号
【特許文献３】特開２００８−１２７８５３号
【特許文献４】特開平５−９９１７号
【発明の概要】
【発明が解決しようとする課題】
【０００８】
既設水路の経年劣化等により、内側側面や低面に発生した凹凸がある要補修箇所にパネルを接着する方法や、単にパネル裏面の凸部を利用し、又は定規コンクリート等のスペーサを利用し形成された間隙にモルタル等を充填する方法では、パネルを面一に保つことができないばかりか、モルタル等の充填材の重みにより、パネルによる補修後の面がたわんでしまう。
【０００９】
又、水路内面と一定間隔の間隙を保つために凸部を設けるのは、前記凸部にネジで水路と固定するための穿孔口を設け、前記ネジの頭部がパネルの外側から突出せずに面一にするために、少なくともネジの頭部がパネル内部に位置するようにするためである。
【００１０】
既設水路に板状のパネルを固定するためには、既設水路の内面底面の両端にハンチがあるため、比較的広い間隙をとる必要があり、間隙に充填するモルタル等充填材の量が多く、無駄な費用とその充填にかかる時間が大となるばかりか、内空断面が小さくなって、流量の低下を招いてしまう。
【００１１】
既設水路の要補修箇所は、内側側面の下部や底面に多く、要補修箇所を有する面とパネルとの間に間隙を確保する為に、劣化により凹凸が発生した要補修箇所を有する面に定規コンクリート等のスペーサ部材を複数配置しなければならず、その凹凸によるガタツキを考慮しながら配置する労力は多大であり、所定の位置にパネルを配置することは困難である場合が多い。
【００１２】
劣化した要補修箇所の凹凸面に対応する方法としては、パネルの裏面にある凸部と水路内面との間にゴムを介することにより、それを吸収する方法も提案されているが、そのゴムがある部分だけの凹凸が吸収され、他の箇所ついては、補修後の内面が劣化したよう補修箇所の凹凸の影響を受け、面一に仕上げることが困難であった。
【００１３】
さらにこれらは、重量物であり、または製品サイズが大であることから、施工に掛かる時間やコストが大であった。
【００１４】
本発明は、既設水路の劣化によって特に水路内側側面や底面が侵食され、鉄筋の腐食が懸念される要補修箇所を、簡便に且つ低コストで修復するために、耐摩耗性に優れた素材により形成されたパネルと、前記パネルによる既設水路の修復方法を提供することにある。
【課題を解決するための手段】
【００１５】
本発明の請求項１に係る発明は、既設水路の内側側面及び底面等のコンクリートが劣化した要補修面に取り付けるためのボルトの直径に対して、少なくとも左右方向にクリアランスが１ｍｍ〜５０ｍｍであり、段部を形成したテーパー付きのボルト挿通孔を複数有し、耐摩耗性材料により厚み２０ｍｍ以上７０ｍｍ以下で、且つ重量５０ｋｇ以下で成型されたことを特徴とする既設水路補修用パネルである。
【００１６】
本発明は、老朽化した既設水路の内面を補修するために、耐摩耗性材料により成型された既設水路補修用パネルであって、前記補修用パネルには、複数のボルト挿通孔を有し、前記挿通孔は、既設水路に前記パネルを取り付けるためのボルトよりも大きなものであり、前記挿通孔は前記パネルの既設水路補修面側に多角形又は円形又は長円形の貫通孔を有し、段部を形成したボルト挿通孔に、ボルトを挿通し、既設水路の要補修面に穿設されたアンカー部材に前記ボルトを螺合位置決めされ、既設水路の要補修面と前記パネルとの間に間隙を保った状態で、前記段部を両側からナットを締め付けることによって固定される。
【００１７】
また、前記パネルは、その厚みが２０ｍｍ以上７０ｍｍ以下で、且つ重量が５０ｋｇ以下で形成されているので、大型重機等を使用することなく人力での施工を可能としている。
【００１８】
本発明の請求項２に係わる発明は、ボルト挿通孔がパネルに一体的に埋め込まれた多角形又は円形又は長円形の貫通孔を有するワッシャーによって形成された段部を有することを特徴とする請求項１記載の、既設水路補修用パネルである。
【００１９】
本発明は、ワッシャーにより段部が形成されているので、薄肉のパネルであっても、固定用のボルトナットが、固定締め付け後に完全にパネルの内部に埋設することができ、補修完了後の水路内面を面一に保つことができるとともに、複雑な形状にすることなく、パネルの剥落を防ぎ、製造面においても容易に且つ安価に製造することができる。
【００２０】
本発明の請求項３に係わる発明は、耐摩耗性材料により成型された水路補修用パネルを既設水路の補修面に取り付けるためのボルトを貫通螺合するナットが複数個一体的に埋め込まれ、耐摩耗性材料により厚み２０ｍｍ以上７０ｍｍ以下で且つ重量５０ｋｇ以下で成型されたことを特徴とする、既設水路補修用パネルである。
【００２１】
本発明は、既設水路の補修面に取り付けるパネルに複数個のボルトを貫通螺合させるためのナットを一体的に埋め込んだことにより、施工時の工数削減による労力と工期の短縮、さらには、資材コストの削減も可能となる。
【００２２】
本発明の請求項４に係わる発明は、断面がハンチ部を有した略Ｌ型であることを特徴とする、請求項１から３記載の既設水路補修用パネルである。
【００２３】
本発明は、既設水路が有するハンチと同じく、ハンチ部を有した断面略Ｌ型としたため、既設水路の内面の補修面とほぼ同一の形状で修復が可能となり、既設水路の補修面と補修用パネルの間に形成される間隙を極力少なくすることができる。
【００２４】
本発明の請求項５に係わる発明は、背面部に鉄筋又は線条材が突出していることを特徴とする請求項１から４記載の既設水路補修用パネルである。
【００２５】
本発明は、既設水路補修用パネルの背面には、その内部から連続し一体的に取り付けられた鉄筋又は線状材が突出しており、前記パネルと水路補修面による間隙に充填されるモルタル等の充填材と、より強固に一体化され耐磨耗性材料により成型された水路補修用パネルが更なる経年により剥落しにくいものとした。
【００２６】
本発明の請求項６に係わる発明は、耐摩耗性材料が、レジンコンクリート、高強度コンクリート、防錆処理を施した鉄筋を使用した鉄筋コンクリート又はステンレス等の錆に強い素材で補強した鉄筋コンクリートからなることを特徴とする、請求項１から５記載の既設水路補修用パネルである。
【００２７】
本発明は、耐磨耗性材料として、レジンコンクリート、または高強度コンクリート（所謂、超高強度コンクリートを含む）、を選択でき、薄肉構造とすることができ、又防錆処理を施した鉄筋を使用した鉄筋コンクリート、ステンレス等の錆に強い素材で補強した鉄筋コンクリートからなる場合は、薄肉構造とするためにその内部に補強筋を入れるが、所謂鉄筋かぶりが確保できないことから、錆に強いステンレス筋や鉄筋を防錆処理したものを使用する。これにより、耐摩耗性に優れ、機械的強度も大きく、薄肉成型されるため、軽量で取扱いが容易となり、施工性が向上し、工期の短縮も期待できる。
【００２８】
本発明の請求項７に係わる発明は、既設水路の所定位置にアンカー（ホールインアンカー又はケミカルアンカー等）を穿設し、当該アンカーの一部は劣化によるコンクリートの侵食が少ないと部分を選択して穿設され、既設水路の内側面と補修用パネルとの間に、スペーサを介して幅５０ｍｍ以下の間隙を有した状態で、前記アンカーに補修用パネルをボルトにより固定し、前記間隙に充填材を充填固化させることを特徴とする、既設水路の補修方法である。
【００２９】
本発明は、既設水路の所定位置にホールインアンカー等のアンカー部材を打ち込み、前記アンカーに補修用パネルのボルト挿通孔に挿通したボルトと螺合しスペーサを介して幅５０ｍｍ以下の間隙を有した状態で一体的に取り付けられ、前記間隙には、モルタル等の充填材を充填固化させることで、既設水路補修用既設水路の補修方法であり、補修用パネルは、既設水路の上端面と同じ高さか、又は上端面より低い位置に来るように設置され、既設水路に打ち込まれるアンカーの一部は、要補修面の侵食・劣化の少ない部分に打ち込まれる。
【発明の効果】
【００３０】
本発明は、以上のような構成からなるもので、次のような効果が得られる。
【００３１】
段部を形成したボルト挿通孔を複数有し、厚み２０ｍｍ以上７０ｍｍ以下で、且つ重量５０ｋｇ以下で成型されたことにより、少ない労力で人力での作業が可能となり、重機等の大型機械を使用することなく施工でき、また高強度素材で薄肉成型にもかかわらず、ワッシャー等により段部を形成することでボルト挿通孔の破損を防止し、確実に水路内面の所定位置に間隙を保って簡便に位置決めすることができ、工期の短縮が実現され、補修に係るコストを最小に抑えることができる。
【００３２】
補修完了後にボルトの腐食や流水への影響を考え、ボルトを露出させないように工夫されている。
【００３３】
パネルの内部にボルト等を隠すためには、ボルト挿通孔に段部を設けて穿設し、その段部によりナットで固定することが一般的であるが、本発明では、その段部を金属製のワッシャーとパネルに穿孔した穴により形成した。
【００３４】
これにより、薄肉構造であっても、ボルト等による固定も強固となり、割れの心配もなく、さらには、段部をパネルに埋め込んだワッシャーによって薄くすることができるので、ボルトの頭部をモルタル等で埋めて水路内部の突出部をなくすことが容易となった。
【００３５】
さらに、既設水路補修用パネルを水路内側に固定するために、前記パネルにボルトが貫通螺合するナットを複数個一体的に埋め込んだことにより、作業時に取り扱う工具類が最小ですみ、作業性が向上することができる。
【００３６】
既設水路修復用パネルにハンチ部を形成することにより、既設水路の内面との間に最小の間隙を保つことが可能で、補修によって内空断面を極力減らすことなく、補修前の内空断面に近い断面を確保し、流量の低下を極めて少なく抑えることができる。
【００３７】
既設水路補修用パネルの背面部に鉄筋又は線状材を突出させることにより、前記パネルと既設水路の要補修面との間の間隙を一定以上に保つとともに、に充填される充填材との強固な一体化が図られ、補修後の経年劣化等によるパネルの剥離を未然に防止し、水路を更に長寿命化させることができる。
【００３８】
既設水路補修用パネルがレジンコンクリート、高強度コンクリート、防錆処理を施した鉄筋を使用した鉄筋コンクリート又はステンレス等の錆に強い素材で補強した鉄筋コンクリートからなる耐磨耗性材料によりなることにより、水路を流れる土砂等による磨耗を防ぎ、水路の劣化や破壊を防止し、浮遊物等による悪臭を発生させないという効果を奏する。
【図面の簡単な説明】
【００３９】
【図１】既設水路の断面図
【図２】既設水路に補修用パネルを取付ける際の説明図
【図３】既設水路に補修用パネルを取付ける際の説明図
【図４】補修用パネルの形状図
【図５】他の実施例を示す説明図
【発明を実施するための形態】
【００４０】
以下、本発明を図示する実施の形態に基づいて説明する。この実施形態は、既設コンクリート構造物を補修するための補修用パネルとその補修方法に適用されるものであり、既設水路Ｓとは、工場生産されたコンクリート二次製品による農業用水路であり、前記水路は左右の相対する側版２、２’と底版３とからなり、水路の内側側面４及び内側底面５には、要補修箇所Ａが複数存在し、これを補修するために、水路補修用パネル１を使用する。ここではレジンコンクリート製の水路補修用パネルを例にあげて説明するが、他の耐摩耗性材料、例えば高強度コンクリートの場合もこれと同じである。
【００４１】
コンクリート製の既設水路Ｓの内側側面４と内側底面５には、長年の劣化によるよう補修箇所Ａが多数存在し、これを補修するために左右の側版２、２’の要補修面４’に例えばレジンコンクリートにより成型された高さが水路側壁の上端面２０とほぼ同一になる高さで、幅が５０ｃｍの水路補修用パネル１を当接し、要補修面４’の前記パネル１に成型されたボルト挿通孔６に対応する箇所にホールインアンカー７を打ち込む。
【００４２】
前記パネルＡに有する複数の前記ボルト挿通孔６にボルト８を挿通し、水路内側側面４又は内側底面５のホールインアンカー７に螺合することで、前記パネル１の位置決めを行い、図２又は図３の通り、前記ボルト８にあらかじめセットされていた長さ５ｃｍの筒状スペーサ９を介して、前記パネル１と要補修面４’の間に間隙Ｋが確保された状態で、前記ボルト挿通孔６の段部１０にナット１１が締め付けられて、補修用パネルが固定される。
【００４３】
他のボルト挿通孔も同様に締め付けを行い、前記パネルが水路の各要補修面に固定される。
【００４４】
要補修面４’の要補修箇所Ａの侵食具合によっては、スペーサ９は、５ｃｍである必要は無く、５．５ｃｍでも良く、要は要補修面の侵食前の内面位置Ａ’から前記パネルの内側面Ｂ（水路要補修面側の面）までの距離が一定間隔を保てていればよい。
【００４５】
水路補修用パネル１は、複数個のボルト挿通孔６を有し、前記パネル１の素材によって前記ボルト挿通孔６の数が選択的に決められる。
【００４６】
例えば、超高強度コンクリートのように薄く製造でき、尚且つ強度に優れているものであれば、そのボルトナットによる締め付け後に湾曲したり、間隙に充填する充填材の重みにより湾曲変形することが少ないので、ボルト挿通孔６は、１平米当たり四隅近傍に４箇所程度でよいが、任意に選択された耐磨耗性材料例えばレジンコンクリート等による補修用パネルの場合、熱による変形が予想されるなど、４箇所で足りない場合は、四隅の他、中心部付近に一箇所増やしたり、１平米当たり６箇所程度としてもよい。
【００４７】
ボルト挿通孔６は図３及び図４に記載の通り、その一側には前記パネル１に予め埋設固定された、ボルトの直径よりも大きな貫通孔１２が穿設されたワッシャー１３があり、他の一側には、前記貫通孔１２と中心を一にし、外側から次第に狭くなるようなテーパー１４を有し、前記ワッシャーまで穿設され、もっとも狭くなった部分でも前記ワッシャー１３の貫通孔１２よりは大であり、且つナットを障害なく螺合させることができる程度の幅（直径）をなした段部１０を形成している。
【００４８】
ワッシャー１３には、レジンコンクリート製のパネルの内部に埋設されるアンカー１５が溶接等により一体化され、ワッシャー自体の剥離を防止し、ひいては施工後の補修用パネル１の剥落を未然に防止することができる。
【００４９】
既設水路Ｓの要補修面４’に打ち込んだ複数個のアンカー７にスペーサ９を介してボルトナットにより間隙Ｋを確保してパネル１を取り付ける。
【００５０】
パネルを取り付けるのは、要補修箇所Ａを有する既設水路Ｓの左右の内側側面４と底面５であり、底面５へのパネル１の取り付け方法は、側面４へのパネル１の取り付け方法と同様であっても良いが、アンカー７を使用せず、単にボルト８’によって高さ調節を行い間隙Ｋを確保した後に、前記間隙Ｋに充填材Ｊを充填固化させ、側部の充填材とともに一体化させる。
【００５１】
ボルト挿通孔は、前記のもののほか、パネルの厚みと同じ又はパネルの厚みよりも小さなナットを埋め込み、キャップボルト又は六角ボルト等でパネルに固定させることができる。
【００５２】
又、図５の通り、パネル１’をハンチ１６を形成し、既設水路の内面と相似形の略Ｌ型とすることで、要補修面４’に、より接近して設置することができるため、補修による内空断面の減少を抑え、補修後も大きな内空断面を得ることができる。
【００５３】
この場合、Ｌ型の水路補修用パネル１’の水平部の端部１７をテーパー状又は段部を有する形状にしておくことにより、底版に配置する補修用パネル１ｂの位置決めが容易となり、ボルト等による高さ調整等の位置決め作業を簡略化することができる。
【００５４】
底部に設置するパネルは、充填材の充填状況を確認するための、又は充填材を充填するための貫通孔（図示せず）を設けておいても良い。
【００５５】
既設水路Ｓの要補修箇所Ａを有する内側側面４又は内側底面５との間に間隙Ｋを形成するために、水路補修用パネルの裏面には、図示しない鉄筋又は鉄筋等の鋼材および線材を突出させ、又はパネルの素材と同一の素材により凸部を形成させることができる。
【００５６】
水路補修用パネルは、必ずしも既設水路の上端面２０と同じ高さにする必要はなく、要補修箇所Ａが集中する、内側側面４の下方部と内側底面５が覆える大きさがあれば足りる。
【符号の説明】
【００５７】
１  補修用パネル
２  側版
３  底版
４  内側側面
４’要補修面
５  内側底面
６  ボルト挿通孔
７  アンカー
８  ボルト
９  筒状スペーサ
１０  段部
１１  ナット
１２  貫通孔
１３  ワッシャー
１４  テーパー
１５  アンカー
１６  ハンチ
１７  略Ｌ型の補修用パネルの端部
２０  上端面
Ａ    要補修箇所
Ｓ    既設水路
Ｋ    間隙
Ｊ    充填材
【図１】
2011094441.tif 000003
【図２】
2011094441.tif 000004
【図３】
2011094441.tif 000005
【図４】
2011094441.tif 000006
【図５】
2011094441.tif 000007
【手続補正書】
【提出日】平成23年2月26日(2011.2.26)
【手続補正１】
【補正対象書類名】明細書
【補正対象項目名】全文
【補正方法】変更
【補正の内容】
【発明の詳細な説明】
【技術分野】
【０００１】
本発明は、既設水路の補修用パネル及び補修方法に関する。 
【背景技術】
【０００２】
コンクリートによる水路は、長年の使用により、その内側側面や底面が侵食、劣化することにより凹凸が発生し、そこに堆積した土砂や浮遊物により水流に影響を与えたり、異臭の原因となることがある。この劣化を放置しておくと、劣化が進行することにより、漏水等が発生し、ひいては水路自体が破壊されてしまうという問題点を有していた。 
【０００３】
このような問題を解消する為に、劣化した水路の内側側面や底面の要補修箇所にモルタル等を充填するなどして、劣化部分を個別に補修したり、薄肉成型されたレジンコンクリート等の樹脂系材料からなる板状のパネルを水路内側側面や底面全体に接着し、水路全体を一括して補修する方法がある。（特許文献１） 
【０００４】
接着以外の方法としては、板状のパネルの裏面に凸部を設けることにより間隙を確保するスペーサとし、その間隙にモルタルを充填固化することで、水路全体を補修する方法がある。（特許文献２） 
【０００５】
パネルの固定方法としては、パネル裏面の間隙を確保する為の凸部に穿孔口を有し、当該穿孔口から水路の補修面にアンカーを打ち込み、ネジによりパネルを直接固定したあと、パネル裏面の凸部により形成された間隙にモルタルを充填することによる補修方法が提案されている。（特許文献３） 
【０００６】
さらに、パネルを固定する他の方法として、水路内面に定規コンクリートを配置し、これを介してパネルを配置し、ボルトナットにより固定する方法がある。（特許文献４） 
【０００７】
【特許文献１】特許第３６４８４９３号
【特許文献２】特開２００７−１４６６０４号
【特許文献３】特開２００８−１２７８５３号
【特許文献４】特開平５−９９１７号
【発明の概要】
【発明が解決しようとする課題】
【０００８】
既設水路の経年劣化等により、内側側面や低面に発生した凹凸がある要補修箇所にパネルを接着する方法や、単にパネル裏面の凸部を利用し、又は定規コンクリート等のスペーサを利用し形成された間隙にモルタル等を充填する方法では、パネルを面一に保つことができないばかりか、モルタル等の充填材の重みにより、パネルによる補修後の面がたわんでしまう。 
【０００９】
又、水路内面と一定間隔の間隙を保つために凸部を設けるのは、前記凸部にネジで水路と固定するための穿孔口を設け、前記ネジの頭部がパネルの外側から突出せずに面一にするために、少なくともネジの頭部がパネル内部に位置するようにするためである。 
【００１０】
既設水路に板状のパネルを固定するためには、既設水路の内面底面の両端にハンチがあるため、比較的広い間隙をとる必要があり、間隙に充填するモルタル等充填材の量が多く、無駄な費用とその充填にかかる時間が大となるばかりか、内空断面が小さくなって、流量の低下を招いてしまう。 
【００１１】
既設水路の要補修箇所は、内側側面の下部や底面に多く、要補修箇所を有する面とパネルとの間に間隙を確保する為に、劣化により凹凸が発生した要補修箇所を有する面に定規コンクリート等のスペーサ部材を複数配置しなければならず、その凹凸によるガタツキを考慮しながら配置する労力は多大であり、所定の位置にパネルを配置することは困難である場合が多い。 
【００１２】
劣化した要補修箇所の凹凸面に対応する方法としては、パネルの裏面にある凸部と水路内面との間にゴムを介することにより、それを吸収する方法も提案されているが、そのゴムがある部分だけの凹凸が吸収され、他の箇所ついては、補修後の内面が劣化したよう補修箇所の凹凸の影響を受け、面一に仕上げることが困難であった。 
【００１３】
さらにこれらは、重量物であり、または製品サイズが大であることから、施工に掛かる時間やコストが大であった。 
【００１４】
本発明は、既設水路の劣化によって特に水路内側側面や底面が侵食され、鉄筋の腐食が懸念される要補修箇所を、簡便に且つ低コストで修復するために、耐摩耗性に優れた素材により形成されたパネルと、前記パネルによる既設水路の修復方法を提供することにある。 
【課題を解決するための手段】
【００１５】
本発明の請求項１にかかる発明は、既設水路の内側側面及び底面等のコンクリートが劣化した要補修面にボルトにより取り付ける耐磨耗性材料からなるパネルであって、厚みが２０ｍｍ以上７０ｍｍ以下のパネルには、段部を有する複数のボルト挿通孔を有し、且つ重量が５０ｋｇ以下で成型されたことを特徴とする既設水路補修用パネルである。 
【００１６】
本発明は、老朽化した既設水路の内面を補修するために、耐摩耗性材料により成型された既設水路補修用パネルであって、前記補修用パネルには、複数のボルト挿通孔を有し、前記挿通孔は、既設水路に前記パネルを取り付けるためのボルトよりも大きなものであり、前記挿通孔は前記パネルの既設水路補修面側に多角形又は円形又は長円形の貫通孔を有し、段部を形成したボルト挿通孔に、ボルトを挿通し、既設水路の要補修面に穿設されたアンカー部材に前記ボルトを螺合位置決めされ、既設水路の要補修面と前記パネルとの間に間隙を保った状態で、前記段部を両側からナットを締め付けることによって固定される。 
【００１７】
また、前記パネルは、その厚みが２０ｍｍ以上７０ｍｍ以下で、且つ重量が５０ｋｇ以下で形成されているので、大型重機等を使用することなく人力での施工を可能としている。 
【００１８】
本発明の請求項２に係わる発明は、ボルト挿通孔がパネルに一体的に埋め込まれた多角形又は円形又は長円形の貫通孔を有するワッシャーによって形成された段部を有することを特徴とする請求項１記載の、既設水路補修用パネルである。 
【００１９】
本発明は、ワッシャーにより段部が形成されているので、薄肉のパネルであっても、固定用のボルトナットが、固定締め付け後に完全にパネルの内部に埋設することができ、補修完了後の水路内面を面一に保つことができるとともに、複雑な形状にすることなく、パネルの剥落を防ぎ、製造面においても容易に且つ安価に製造することができる。 
【００２０】
本発明の請求項３に係わる発明は、断面がハンチ部を有した略Ｌ型であることを特徴とする、請求項１から２記載の既設水路補修用パネルである。 
【００２１】
本発明は、既設水路が有するハンチと同じく、ハンチ部を有した断面略Ｌ型としたため、既設水路の内面の補修面とほぼ同一の形状で修復が可能となり、既設水路の補修面と補修用パネルの間に形成される間隙を極力少なくすることができる。 
【００２２】
本発明の請求項４に係わる発明は、背面部に鉄筋又は線条材が突出していることを特徴とする請求項１から３記載の既設水路補修用パネルである。 
【００２３】
本発明は、既設水路補修用パネルの背面には、その内部から連続し一体的に取り付けられた鉄筋又は線状材が突出しており、前記パネルと水路補修面による間隙に充填されるモルタル等の充填材と、より強固に一体化され耐磨耗性材料により成型された水路補修用パネルが更なる経年により剥落しにくいものとした。 
【００２４】
本発明の請求項５に係わる発明は、耐摩耗性材料が、レジンコンクリート、高強度コンクリート、防錆処理を施した鉄筋を使用した鉄筋コンクリート又はステンレス等の錆に強い素材で補強した鉄筋コンクリートからなることを特徴とする、請求項１から４記載の既設水路補修用パネルである。 
【００２５】
本発明は、耐磨耗性材料として、レジンコンクリート、または高強度コンクリート（所謂、超高強度コンクリートを含む）、を選択することで、薄肉構造とすることができ、又防錆処理を施した鉄筋を使用した鉄筋コンクリート、ステンレス等の錆に強い素材で補強した鉄筋コンクリートからなる場合は、薄肉構造とするためにその内部に補強筋を入れるが、所謂鉄筋かぶりが確保できないことから、錆に強いステンレス筋や鉄筋を防錆処理したものを使用する。これにより、耐摩耗性に優れ、機械的強度も大きく、薄肉成型されるため、軽量で取扱いが容易となり、施工性が向上し、工期の短縮も期待できる。 
【００２６】
本発明の請求項６に係わる発明は、既設水路の所定位置にアンカー（ホールインアンカー又はケミカルアンカー等）を穿設し、当該アンカーの一部は劣化によるコンクリートの侵食が少ないと部分を選択して穿設され、既設水路の内側面と補修用パネルとの間に、スペーサを介して幅５０ｍｍ以下の間隙を有した状態で、前記アンカーに補修用パネルをボルトにより固定し、前記間隙に充填材を充填固化させることを特徴とする、既設水路の補修方法である。 
【００２７】
本発明は、既設水路の所定位置にホールインアンカー等のアンカー部材を打ち込み、前記アンカーに補修用パネルのボルト挿通孔に挿通したボルトと螺合しスペーサを介して幅５０ｍｍ以下の間隙を有した状態で一体的に取り付けられ、前記間隙には、モルタル等の充填材を充填固化させることで、既設水路補修用既設水路の補修方法であり、補修用パネルは、既設水路の上端面と同じ高さか、又は上端面より低い位置に来るように設置され、既設水路に打ち込まれるアンカーの一部は、要補修面の侵食・劣化の少ない部分に打ち込まれる。 
【発明の効果】
【００２８】
本発明は、以上のような構成からなるもので、次のような効果が得られる。 
【００２９】
段部を形成したボルト挿通孔を複数有し、厚み２０ｍｍ以上７０ｍｍ以下で、且つ重量５０ｋｇ以下で成型されたことにより、少ない労力で人力での作業が可能となり、重機等の大型機械を使用することなく施工でき、また高強度素材で薄肉成型にもかかわらず、ワッシャー等により段部を形成することでボルト挿通孔の破損を防止し、確実に水路内面の所定位置に間隙を保って簡便に位置決めすることができ、工期の短縮が実現され、補修に係るコストを最小に抑えることができる。 
【００３０】
補修完了後にボルトの腐食や流水への影響を考え、ボルトを露出させないように工夫されている。 
【００３１】
パネルの内部にボルト等を隠すためには、ボルト挿通孔に段部を設けて穿設し、その段部によりナットで固定することが一般的であるが、本発明では、その段部を金属製のワッシャーとパネルに穿孔した穴により形成した。 
【００３２】
これにより、薄肉構造であっても、ボルト等による固定も強固となり、割れの心配もなく、さらには、段部をパネルに埋め込んだワッシャーによって薄くすることができるので、ボルトの頭部をモルタル等で埋めて水路内部の突出部をなくすことが容易となった。 
【００３３】
既設水路修復用パネルを略Ｌ型とし、ハンチ部を形成することにより、既設水路の内面との間に最小の間隙を保つことが可能で、補修によって内空断面を極力減らすことなく、補修前の内空断面に近い断面を確保し、流量の低下を極めて少なく抑えることができる。 
【００３４】
既設水路補修用パネルの背面部に鉄筋又は線状材を突出させることにより、前記パネルと既設水路の要補修面との間の間隙を一定以上に保つとともに、間隙に充填される充填材との強固な一体化が図られ、補修後の経年劣化等によるパネルの剥離を未然に防止し、水路を更に長寿命化させることができる。 
【００３５】
既設水路補修用パネルがレジンコンクリート、高強度コンクリート、防錆処理を施した鉄筋を使用した鉄筋コンクリート又はステンレス等の錆に強い素材で補強した鉄筋コンクリートからなる耐磨耗性材料によりなることにより、水路を流れる土砂等による磨耗を防ぎ、水路の劣化や破壊を防止し、浮遊物等による悪臭を発生させないという効果を奏する。 
【図面の簡単な説明】
【００３６】
【図１】既設水路の断面図
【図２】既設水路に補修用パネルを取付ける際の説明図
【図３】既設水路に補修用パネルを取付ける際の説明図
【図４】補修用パネルの形状図
【図５】他の実施例を示す説明図
【発明を実施するための形態】
【００３７】
以下、本発明を図示する実施の形態に基づいて説明する。この実施形態は、既設コンクリート構造物を補修するための補修用パネルとその補修方法に適用されるものであり、既設水路Ｓとは、工場生産されたコンクリート二次製品による農業用水路であり、前記水路は左右の相対する側版２、２’と底版３とからなり、水路の内側側面４及び内側底面５には、要補修箇所Ａが複数存在し、これを補修するために、水路補修用パネル１を使用する。ここではレジンコンクリート製の水路補修用パネルを例にあげて説明するが、他の耐摩耗性材料、例えば高強度コンクリートの場合もこれと同じである。 
【００３８】
コンクリート製の既設水路Ｓの内側側面４と内側底面５には、長年の劣化による要補修箇所Ａが多数存在し、これを補修するために左右の側版２、２’の要補修面４’に例えばレジンコンクリートにより成型された高さが水路側壁の上端面２０とほぼ同一になる高さで、幅が５０ｃｍの水路補修用パネル１を当接し、要補修面４’の前記パネル１に成型されたボルト挿通孔６に対応する箇所にホールインアンカー７を打ち込む。 
【００３９】
前記パネル１に有する複数の前記ボルト挿通孔６にボルト８を挿通し、水路内側側面４又は内側底面５のホールインアンカー７に螺合することで、前記パネル１の位置決めを行い、図２又は図３の通り、前記ボルト８にあらかじめセットされていた長さ約５０ｍｍの筒状スペーサ９を介して、前記パネル１と要補修面４’の間に間隙Ｋが確保された状態で、前記ボルト挿通孔６の段部１０にナット１１が締め付けられて、補修用パネルが固定される。 
【００４０】
他のボルト挿通孔も同様に締め付けを行い、前記パネルが水路の各要補修面に固定される。 
【００４１】
要補修面４’の要補修箇所Ａの侵食具合によっては、スペーサ９は、必ずしも５０ｍｍである必要は無く、充填材Ｊが充填可能なスペースが確保できれば足り、要補修面の侵食前の内面位置Ａ’から前記パネルの内側面Ｂ（水路要補修面側の面）までの距離が一定間隔を保てていればよい。 
【００４２】
水路補修用パネル１は、複数個のボルト挿通孔６を有し、前記パネル１の素材や大きさ、又は要補修面の劣化状況等によって前記ボルト挿通孔６の数が選択的に決められる。 
【００４３】
例えば、超高強度コンクリートのように薄く製造でき、尚且つ強度に優れているものであれば、そのボルトナットによる締め付け後に湾曲したり、間隙に充填する充填材の重みにより湾曲変形することが少ないので、ボルト挿通孔６は、１平米当たり四隅近傍に４箇所程度でよいが、任意に選択された耐磨耗性材料例えばレジンコンクリート等による補修用パネルの場合、熱による変形が予想されるなど、４箇所で足りない場合は、四隅の他、中心部付近に一箇所増やしたり、１平米当たり６箇所程度としてもよい。 
【００４４】
ボルト挿通孔６は図３及び図４に記載の通り、その一側には前記パネル１に予め埋設固定された、ボルトの直径よりも大きな貫通孔１２が穿設されたワッシャー１３があり、他の一側には、前記貫通孔１２と中心を一にし、外側から次第に狭くなるようなテーパー１４を有し、前記ワッシャーまで穿設され、もっとも狭くなった部分でも前記ワッシャー１３の貫通孔１２よりは大であり、且つナットを障害なく螺合させることができる程度の幅（直径）をなした段部１０を形成している。 
【００４５】
ワッシャー１３には、レジンコンクリート製のパネルの内部に埋設されるアンカー１５が溶接等により一体化され、ワッシャー自体の剥離を防止し、ひいては施工後の補修用パネル１の剥落を未然に防止することができる。 
【００４６】
既設水路Ｓの要補修面４’に打ち込んだ複数個のアンカー７にスペーサ９を介してボルトナットにより間隙Ｋを確保してパネル１を取り付ける。 
【００４７】
パネルを取り付けるのは、要補修箇所Ａを有する既設水路Ｓの左右の内側側面４と底面５であり、底面５へのパネル１の取り付け方法は、側面４へのパネル１の取り付け方法と同様であっても良いが、アンカー７を使用せず、単にボルト８’によって高さ調節を行い間隙Ｋを確保した後に、前記間隙Ｋに充填材Ｊを充填固化させ、側部の充填材とともに一体化させる。 
【００４８】
ボルト挿通孔は、前記のもののほか、パネルの厚みと同じ又はパネルの厚みよりも小さなナットを埋め込み、キャップボルト又は六角ボルト等でパネルに固定させることができる。 
【００４９】
又、図５の通り、パネル１’をハンチ１６を形成し、既設水路の内面と相似形の略Ｌ型とすることで、要補修面４’に、より接近して設置することができるため、補修による内空断面の減少を抑え、補修後も大きな内空断面を得ることができる。 
【００５０】
この場合、Ｌ型の水路補修用パネル１’の水平部の端部１７をテーパー状又は段部を有する形状にしておくことにより、底版に配置する補修用パネル１ｂの位置決めが容易となり、ボルト等による高さ調整等の位置決め作業を簡略化することができる。 
【００５１】
底部に設置するパネルは、充填材の充填状況を確認するための、又は充填材を充填するための貫通孔（図示せず）を設けておいても良い。 
【００５２】
既設水路Ｓの要補修箇所Ａを有する内側側面４又は内側底面５との間に間隙Ｋを形成するために、水路補修用パネルの裏面には、図示しない鉄筋又は鉄筋等の鋼材および線材を突出させ、又はパネルの素材と同一の素材により凸部を形成させることができる。 
【００５３】
水路補修用パネルは、必ずしも既設水路の上端面２０と同じ高さにする必要はなく、要補修箇所Ａが集中する、内側側面４の下方部と内側底面５が覆える大きさがあれば足りる。 
【符号の説明】
【００５４】
１  補修用パネル 
２  側版 
３  底版 
４  内側側面 
４’要補修面 
５  内側底面 
６  ボルト挿通孔 
７  アンカー 
８  ボルト 
９  筒状スペーサ 
１０  段部 
１１  ナット 
１２  貫通孔 
１３  ワッシャー 
１４  テーパー 
１５  アンカー 
１６  ハンチ 
１７  略Ｌ型の補修用パネルの端部 
２０  上端面 
Ａ    要補修箇所 
Ｓ    既設水路 
Ｋ    間隙 
Ｊ    充填材 
【手続補正２】
【補正対象書類名】特許請求の範囲
【補正対象項目名】全文
【補正方法】変更
【補正の内容】
【特許請求の範囲】
【請求項１】
既設水路の内側側面及び底面等のコンクリートが劣化した要補修面に、ボルトにより取り付ける耐磨耗性材料からなるパネルであって、厚みが２０ｍｍ以上７０mm以下のパネルには、段部を有する複数のボルト挿通孔を有し、且つ重量が５０ｋｇ以下で成型されたことを特徴とする既設水路補修用パネル。
【請求項２】
前記ボルト挿通孔は、円形又は長円形の貫通孔を有するワッシャーが一体的に埋め込まれたことによって段部が形成されたことを特徴とする請求項１記載の既設水路補修用パネル。
【請求項３】
断面がハンチ部を有した略Ｌ型であることを特徴とする、請求項１又は２記載の既設水路補修用パネル。 
【請求項４】
既設水路補修用パネルの背面部に、鉄筋又は線条材が突出している事を特徴とする請求項１乃至３記載の既設水路補修用パネル。 
【請求項５】
耐磨耗性材料が、防錆処理を施した鉄筋、又はステンレス筋により補強され、レジンコンクリート、又は高強度コンクリートにより成型されたことを特徴とする請求項１乃至４記載の既設水路補修用パネル。 
【請求項６】
既設水路の内側側面及び底面の所定位置にアンカーを穿設したうえで、既設水路補修用パネルをスペーサーにより２０ｍｍ以上５０ｍｍ以下の充填空間を設けた状態で、ボルトにより固定し、前記充填空間に、充填材を充填し固化させることを特徴とする、既設水路の補修方法。